(57)【要約】      （修正有）【課題】信号調整装置の不正操作を防止すること。【解決手段】流量計電子装置２０における信号調整回路１１０の不正操作を防止するためのシステム。本発明によれば、信号調整回路１１０から遠隔位置のホスト・システム１００は、認証情報の要求を信号調整回路へ周期的に送る。信号調整回路１１０は、要求を受取り、認証情報をホスト・システム１００へ返送する。ホスト・システム１００は、信号調整回路１１０から認証情報を受取り、該認証情報をメモリに記憶して検査痕跡を提供する。【選択図】図１
2010151833.tif 000002
【特許請求の範囲】
【請求項１】
コリオリ流量計５の信号調整回路１１０と通信し且つ該信号調整回路１１０の不正操作を表示するためのホスト・システム１００であって、物質が流量計組み立て体１０における導管６０３Ａ、６０３Ｂ内を流れるとき、該導管６０３Ａ、６０３Ｂに固定された駆動装置６０４により振動される前記導管６０３Ａ、６０３Ｂに固定されるセンサ６０５、６０５′から受取る信号から前記信号調整回路１１０がシステム・パラメータを決定するホスト・システムであって、
前記信号調整回路１１０へ認証情報の要求を周期的に送り、該要求に応答して前記信号調整回路１１０から前記認証情報を受取り、前記信号調整回路から受取った前記認証情報のレコードを記憶し（３０３）、前記認証情報の前記レコードと初期認証情報とを比較して、該比較に基づいて、前記不正操作が生じたか否かを表す信号を生成するよう構成された処理ユニット１０２、
を備えるホスト・システム１００。
【請求項２】
前記認証情報が前記信号調整回路１１０に対する一義的な識別を含む、請求項１記載のホスト・システム１００。
【請求項３】
前記認証情報が前記信号調整回路１１０に対する校正データを含む、請求項１記載のホスト・システム１００。
【請求項４】
前記認証情報が前記初期認証情報に等しくないことに応答してエラーを表すよう前記信号を生成するよう構成された回路
を更に備える、請求項１記載のホスト・システム１００。
【請求項５】
前記初期認証情報を取得するよう構成された回路を更に備える、請求項１記載のホスト・システム１００。
【請求項６】
前記信号調整回路が前記ホスト・システムに接続されていることを検出したことに応答して前記認証情報の初期設定要求を前記信号調整回路に対して送り５０２、前記信号調整回路から前記認証情報を受取り５０３、前記初期認証情報として前記認証情報をメモリに記憶する５０４よう構成された回路を更に備える、請求項５記載のホスト・システム１００。
【請求項７】
前記認証情報を初期認証情報と比較し３０５、前記認証情報が前記初期認証情報と等しくないことに応答して、プログラムされた機能を実施するよう構成された回路を更に備える、請求項１記載のホスト・システム１００。
【請求項８】
前記レコードが、前記認証情報が受取られた時点を示すタイム・スタンプを含む、請求項１記載のホスト・システム１００。
【請求項９】
コリオリ流量計５の信号調整回路１１０の不正操作を表示する方法３００であって、
認証情報の要求をホスト・システム１００から前記信号調整回路１１０へ周期的に送るステップ３０１と、
前記要求に応答して前記信号調整回路１１０から前記認証情報を受取るステップ３０２と、
前記認証情報のレコードを前記ホスト・システムに記憶するステップ３０３と、
前記認証情報と初期認証情報との比較を実施するステップ３０５と、
前記比較に基づいて、前記不正操作が生じたか否かを表す信号を生成するステップ３０６と、
を含む方法。
【請求項１０】
前記認証情報が前記信号調整回路に対する一義的な識別を含む、請求項９記載の方法３００。
【請求項１１】
前記認証情報が前記信号調整回路に対する校正データを含む、請求項９記載の方法３００。
【請求項１２】
前記認証情報が前記初期認証情報と等しくないことに応答してエラーを表す信号を生成するステップと、
前記エラーに応答して前記信号調整回路の動作を終了するステップ３０７と、
を更に含む、請求項９記載の方法３００。
【請求項１３】
前記初期認証情報を取得するステップ５００を更に含む、請求項９記載の方法３００。
【請求項１４】
前記初期認証情報を取得する前記ステップ５００が、
前記信号調整回路が前記ホスト・システムに接続されていることを検出したことに応答して前記認証情報の初期設定要求を前記信号調整回路へ送るステップ５０１と、
前記信号調整回路から前記認証情報を受取るステップ５０２と、
前記初期認証情報として前記認証情報を前記メモリに記憶するステップ５０４と、
を含む、請求項１４記載の方法３００。
【請求項１５】
前記認証情報を前記ホスト・システムに記憶された初期認証情報と比較するステップと、
前記認証情報が前記初期認証情報と等しくないことに応答して、プログラムされた機能を実施するステップと、
を更に含む、請求項９記載の方法３００。
【請求項１６】
前記信号調整回路１１０において前記認証情報の前記請求を受取るステップ４０１と、
前記信号調整回路１１０においてメモリから前記認証情報を読出すステップ４０２と、
前記認証情報を前記ホスト・システムへ送るステップ４０３と、
を更に含む、請求項９記載の方法３００。
【請求項１７】
前記レコードが、前記認証情報が受取られた時点を示すタイム・スタンプを含む、請求項９記載の方法３００。
【発明の詳細な説明】
【技術分野】
【０００１】
本発明は、センサから信号を受取ってパラメータ信号を生成する信号調整装置へ給電し且つここからパラメータ信号を受取るホスト・システムを備える信号処理システムに関する。特に、本発明は、信号調整装置の不正操作を防止するシステムに関する。更に、本発明は、信号調整装置から認証情報を周期的に受取って記憶するホスト・システムにより実行される不正操作防止システムに関する。
【背景技術】
【０００２】
計測した量で材料を売買することが一般的である。例えば、ガスおよび油類はしばしばガロンまたはバーレルの単位量で販売される。従って、配分される材料の計測は正確であることが重要である。詐欺行為を防止するために、政府官庁は、配分される材料の量を計測する機器が不正操作できないことを要求する。このような要件の一部は、ＮＩＳＴハンドブック４４（１９９８年版）およびＯＩＭＬ  Ｒ１１７（１９９５年版）に記載されている。
【０００３】
配分される材料を計測するのに用いられる機器の形式の１つはコリオリ流量計である。コリオリ質量流量計は、Ｊ．Ｅ．スミス等の１９８５年１月１日発行米国特許第４，４９１，０２５号およびＪ．Ｅ．スミスの１９８２年２月１１日付け米国再発行特許第３１，４５０号に記載された方法で、パイプラインを通過する物質の質量流量その他の情報を計測する。コリオリ質量流量計は、湾曲形態あるいは直線形態の１本以上の流管を備えている。コリオリ質量流量計における各流管の形態は、単純な曲げ、捻れ、放射状あるいはその組合わせである１組の固有振動モードを有する。各流管は、これらの固有振動モードの１つにおける共振で振動するように駆動される。物質で充填された振動系の固有振動モードは、流管とこの流管内の物質との合成の質量により部分的に規定される。物質は、流量計の流入側に接続されたパイプラインから流量計へ流入する。次いで、物質は流管を流れるように向きを決められ、流出側に接続されたパイプラインへ流量計から流出する。
【０００４】
駆動装置が流管へ振動力を印加する。この振動力が流管を振動させる。流量計内を流れる物質がないときは、流管に沿った全ての点は同相で振動する。物質が流管内を流れ始めると、コリオリの加速度が流管の各点に流管の他の点とは異なる位相を持たせる。流管の流入側の位相は駆動装置より遅れるが、流出側の位相は駆動装置より進む。流管の２つの点における運動を表わす正弦波信号を生じるように、センサが流管の２つの異なる点に配置される。センサから受取られる２つの信号の位相差は、時間を単位として計算される。２つのセンサ信号間の位相差は、流管に流れる物質の質量流量に比例する。
【０００５】
センサは正弦波信号を信号調整装置へ送る。信号調整装置は、流量計を通過する物質の特性を表わすパラメータ信号を生成する。信号調整装置はまた、流管を振動させるため駆動装置へ印加される駆動信号を生成する。次いで、パラメータ信号は、所望の特性をユーザへ提供するホスト・システムへ送られる。
【発明の開示】
【発明が解決しようとする課題】
【０００６】
過去においては、製造者は次のようにして信号調整装置の不正操作を防止した。信号調整装置はセキュリティ・スイッチを備える。このセキュリティ・スイッチは、信号調整装置の校正情報を他者が変更することを防止する。セキュリティ・スイッチへのアクセスは、信号調整理装置とホスト・システムを密封されたハウジング内に置くことにより阻止される。ハウジングを密封するために、ハウジングの両側に穴が穿けられる。次にワイヤがハウジング内へ挿通され、このワイヤに鉛シールが塗布される。これにより、電子装置が不正操作されたかどうか調べる視覚的検査が容易になる。
【０００７】
しかし、ハウジングにシールを用いることは、衛生処理における使用には問題となる。衛生処理においては、ハウジング全体を容易に洗浄できなければならない。衛生処理の一例は、調理システムにおける食材の搬入である。衛生処理においては、穴やシールには、洗浄が困難な割れ目や溝がある。
【０００８】
信号調整装置の不正操作を防止する代替方法は、信号調整装置における変更の検査痕跡を保持することである。この方法は、検査報告書の読出しから不正操作を容易に検出することができる。しかし、検査痕跡法は、大量の不揮発性メモリと実時間クロックとを必要とする。このため、各信号調整装置の経費を大幅に増大させる。従って、これは不正操作防止システムの提供のためには満足し得る解決法ではない。
【課題を解決するための手段】
【０００９】
上記および他の問題は、本発明にしたがって、不正操作防止信号調整装置によって解決され、当技術における進歩が達成される。本発明による不正操作防止信号調整装置の第１の利点は、衛生環境において信号調整装置が使用できることであり、第２の利点は、不正操作防止システムの提供のために信号調整装置が付加的なメモリあるいは実時間クロックを必要としないことである。
【００１０】
本発明によれば、信号調整装置とホスト・システムは物理的に分離される。信号調整装置は、センサから信号を受取って、この信号を物質の特性を示すパラメータ信号へ変換する回路である。ホスト・システムは、信号調整装置へ電力を供給し、信号調整装置からパラメータ信号を受取る。従来の４芯ケーブルはホスト・システムと信号調整装置とを接続し、ホスト・システムが信号調整装置へ電力を供給し且つ相互間でデータを転送するのを可能にする。
【００１１】
ホスト・システムは、本発明による不正操作防止システムを提供するアプリケーションを実行する処理装置である。信号調整装置は、校正及びコンフィギュレーション・データばかりでなく一義的な識別をも記憶する。本発明の目的のために、信号調整装置は処理ユニットを備えても、備えなくてもよい。ここでの検討の目的のために、識別、校正およびコンフィギュレーションのデータは認証データと呼ばれる。
【００１２】
ホスト・システムは、認証データの要求を信号調整装置に周期的に送る。望ましい実施の形態においては、ホスト・システムおよび信号調整装置は、Ｍｏｄｂｕｓ（登録商標）プロトコルあるいはＨＡＲＴ（登録商標）プロトコルを用いて通信する。信号調整装置は、要求を受取ると、識別および校正データを読出す。次いで、識別および校正データはホスト・システムへ送られる。
【００１３】
ホスト・システムは、検査痕跡を提供するため、受取った情報をメモリに記憶する。また、ホスト・システムは、受取った認証情報とホスト・システムに記憶された初期情報とを比較する。認証データが初期情報と一致しなければ、ホスト・システムはエラー信号を生成する。このエラー信号に応答して、ホスト・システムはシステムを不動作状態にする。
【００１４】
本発明の第１の特質は、センサから受取った信号からパラメータを決定しこのパラメータをホスト・システムへ送る電子装置における信号調整回路の不正操作を防止するためのシステムである。ホスト・システムは信号調整回路との間でデータを送受し、接続されたメモリを持つ処理ユニットを備える。ホスト・システムにおける処理ユニットは、認証情報の要求を信号調整回路へ周期的に送り、信号調整回路から認証情報を受取り、信号調整回路から受取った認証情報のレコードをメモリに記憶するという、メモリに記憶された命令を実行する。
【００１５】
本発明の第２の特質は、認証情報が信号調整回路に対する一義的識別を含むことである。
【００１６】
本発明の第３の特質は、認証情報が信号調整回路に対する校正データを含むことである。
【００１７】
本発明の第４の特質は、ホスト・システムが認証情報を初期情報と比較し、認証情報が初期情報と等しくないことに応答してエラーを知らせることである。
【００１８】
本発明の第５の特質は、ホスト・システムが認証情報と初期情報とが等しくないことに応答してシステムの動作を終了することである。
【００１９】
本発明の第６の特質は、ホスト・システムが初期情報を得ることである。
【００２０】
本発明の第７の特質は、ホスト・システムが初期情報を下記の方法で取得することである。ホスト・システムは、信号調整回路がホスト・システムに接続されていることを検出したことに応答して、認証情報の初期設定要求を信号調整回路へ送る。次いで、ホスト・システムは、信号調整回路から認証情報を受取り、認証情報を初期情報としてメモリに記憶する。
【００２１】
本発明の第８の特質は、ホスト・システムが、信号調整回路から受取った認証情報を初期情報と比較し、認証情報が初期情報と等しくないことに応答して、プログラムされた機能を実行することである。
【００２２】
本発明の第９の特質においては、信号調整回路は、接続されたメモリを持つ処理ユニットを備える。信号調整回路における処理ユニットは、認証情報の要求をホスト・システムから受取り、認証情報をメモリから読出し、認証情報をホスト・システムへ送る命令を実行する。
【００２３】
本発明の第１０の特質においては、認証情報のレコードは、認証情報が受取られた時点を示すタイム・スタンプを含む。
【００２４】
本発明の第１１の特質においては、レコードは、信号調整回路から受取った認証情報を含む。
【００２５】
本発明の上記のおよび他の利点は、詳細な説明及び図面において記述される。
【図面の簡単な説明】
【００２６】
【図１】ホスト・システムと信号調整装置のブロック図を示す図である。
【図２】ホスト・システムにおける２次処理システムの一例を示す図である。
【図３】本発明に従ってホスト・システムにより実行される処理を示す図である。
【図４】本発明にしたがって信号調整装置により実行される処理を示す図である。
【図５】本発明にしたがってシステムを初期設定するためホスト・システムにより実行される処理を示す図である。
【図６】コリオリ流量計における本発明の望ましい実施の形態を示す図である。
【発明を実施するための形態】
【００２７】
次に、本発明の実施の形態が示される添付図面に関して本発明を更に詳細に記述する。当業者は理解するように、本発明は多くの異なる形態で具現され、本文に記載された実施の形態に限定されるものではなく、これらの実施の形態は、本文の開示が周到かつ完全であり且つ本発明の範囲を当業者へ完全に伝えるために提供されている。図面においては、全図にわたり同じ番号は類似の要素を示している。
【００２８】
本発明は、信号調整装置の不正操作を防止するシステムに関するものである。ここでの検討のために、信号調整装置はセンサから信号を受取って該信号を処理し、システム・パラメータを決定するための回路である。システム・パラメータの一例は、センサが検出しようとする物質の特性である。当業者は認識するように、センサは任意の装置形式に取付けられ得、装置の形式は本発明とは無関係である。
【００２９】
当該システムにおいては、信号調整装置は、衛生処理に用いることができるハウジング内に密閉される。このことは、ハウジングの洗浄が容易であることを意味する。当該信号調整装置は、信号調整装置から遠隔の別のハウジング内にあるホスト・システムに接続される。本発明によるホスト・システムおよび信号調整装置を以下に示す。
【００３０】
図１は、本発明の不正操作防止システムを内蔵するホスト・システム１００と信号調整装置１１０のブロック図である。ホスト・システム１００は、電源１０１と処理ユニット１０２とを備える。電源１０１は、経路１０３を介して信号調整装置１１０にも電力を供給する。処理ユニット１０２は、信号調整装置１１０からパラメータ信号を受取り、経路２６を介してパラメータをユーザと２次装置に提供する。処理ユニット１０２は、パラメータ信号を受取って本発明にしたがってアプリケーションを実行するため、経路１０４を介して信号調整装置１１０と通信する。通信のためには、処理ユニット１０２と信号調整装置１１０は任意の公知のプロトコルを用い得る。プロトコルの２つの例は、ＨＡＲＴ（登録商標）およびＭｏｄｂｕｓ（登録商標）である。
【００３１】
信号調整装置１１０は、センサ信号調整回路１１２と電力コンバータ１１３とを備える。センサ信号調整回路１１２は、経路１１４を介してセンサからセンサ信号を受取る。次いで、センサ信号はセンサ信号調整回路１１２によってパラメータ信号へ変換される。パラメータ信号は、センサにより計測されるシステムのパラメータを表わす。当業者は認識するように、センサ信号調整回路１１２はディジタル信号プロセッサのような処理ユニットと、この処理ユニットにより読むことができるディジタル信号へセンサ信号を変換するのに必要な回路とを含む。パラメータ信号は、信号調整回路１１２から経路１０４を介してホスト・システム１００へ送られる。
【００３２】
電力コンバータ１１３はホスト・システム１００から電力を受取る。この電力は変換されて、センサにより計測されているシステムに印加され、あるいはセンサに印加される。電力コンバータ１１３は、経路１１６を介してセンサ信号調整回路１１２へも電力を供給する。
【００３３】
図２は、ホスト・システム１００における処理ユニット１０２として、あるいは図１の信号調整装置１１０におけるディジタル信号プロセッサとして用い得る処理ユニット２００の一例を示している。処理ユニット２００は、処理ユニット２００の動作を含むアプリケーションを実行するためメモリから読出された命令を実行する中央処理ユニット（ＣＰＵ）２０１を有する。当業者は認識するように、ＣＰＵ２０１はマイクロプロセッサ、プロセッサ、あるいは複数のプロセッサとマイクロプロセッサとからなる任意の組合わせであってよい。ＣＰＵ２０１はメモリ・バス２０２に接続される。メモリ・バス２０２は、ＣＰＵ２０１が読出し専用メモリ（ＲＯＭ）２０３およびランダム・アクセス・メモリ２０４にアクセスすることを許容する。ＲＯＭ２０３は、処理システム２００の基本動作タスクを実施するための命令を格納するメモリである。ＲＡＭ２０４は、処理システム２００により行われるアプリケーションを実行するのに必要な命令およびデータを格納するメモリである。
【００３４】
Ｉ／Ｏバス２１０は、ＣＰＵ２０１を複数の周辺装置へ接続する。ＣＰＵ２０１はＩ／Ｏバス２１０を介して周辺装置とデータを送受する。Ｉ／Ｏバス２１０に接続された周辺装置は、ディスプレイ２２０、入力装置２３０、ネットワーク・インターフェース２４０および不揮発メモリ２５０を含むが、これに限定されるものではない。ディスプレイ２２０は経路２２１によりＩ／Ｏバス２１０に接続され、ビデオ・ドライバおよびユーザへ情報を表示するため接続されたモニタを備えている。入力装置２３０は経路２３１を介してＩ／Ｏバス２１０に接続されており、ユーザからの入力データを受取る適切なドライバに取付けられたキーボードおよび／またはマウスである。ネットワーク・インターフェース２４０は経路２４１を介してＩ／Ｏバス２１０に接続され、処理システム２００が第２の処理システムのような別のデバイスと通信することを許容するモデム、イーサネット（登録商標）・デバイス・ドライバ、あるいは他のタイプの通信インターフェースであってよい。不揮発メモリ２５０は経路２５１を介してＩ／Ｏバス２１０に接続されて、将来の使用のためデータを記憶するディスクその他の記憶媒体にデータを書込み且つそこからデータを読み出すことが可能なディスク・ドライブのような装置である。周辺装置２６０は、データをＣＰＵ２０１と共有するため経路２６１を介してＩ／Ｏバス２１０に接続される任意の他の装置である。
【００３５】
図３は、本発明にしたがって不正操作防止システムを提供するためホスト・システム１００の処理ユニット１０２により実行されるプロセスを示している。本発明による不正操作防止システムは、誰も信号調整装置１１０の不正操作ができないことを保証するため、信号調整装置１１０からホスト・システム１００へ送信される認証データのレコードを記憶する。認証情報は、不正操作防止を保証するため周期的に検査される。周期的とは、所定数の計測のバッチが行われた後に所定時間間隔で、あるいはランダムな時間間隔でプロセスが実行されることを意味する。この周期の設定は、当業者に委ねられる。
【００３６】
プロセス３００は、ホスト・システム１００における処理ユニット１０２が認証情報の要求を信号調整装置１１０へ送るステップ３０１で開始される。認証情報は、一義的な識別データ、校正データ、あるいは時間的に変化しない他の形態のデータであってよい。これらのデータ形式の組合わせも同様に用いられることに注意すべきである。信号調整装置１１０は、前記要求を受取って、認証データを含むメッセージをホスト・システム１００の処理ユニット１０２へ返送するために、以下に述べるプロセスを実行する。
【００３７】
ステップ３０２において、処理ユニット１０２は、信号調整装置１１０から認証情報を受取る。受取った認証情報のレコードが次いで生成されて、ステップ３０３においてメモリに記憶される。これが、信号調整装置１１０に変更がないことを示す検査痕跡となる。
【００３８】
レコードが記憶された後、受取られた認証情報は、ステップ３０４において、ホスト・システムに記憶された、信号調整装置に対する初期情報と比較される。この初期情報は、システムが動作を開始する時点に信号調整装置１１０から受取られる。あるいはまた、初期情報は、ホスト・システムが１つの予め識別された信号調整装置１１０とのみ動作することを保証するため、動作に先立って読出し専用メモリに記憶されていてもよい。
【００３９】
初期情報と受取られた認証情報とが一致するならば、プロセス３００は終了して待機し、次の周期が経過した後に実行する。初期情報と受取られた認証情報とが一致しなければ、処理ユニット１０２は、ステップ３０６において、不正操作の可能性あるいは他のタイプのエラーを示す信号を生成する。次いで、処理ユニット１０２はステップ２０７においてシステムの動作を終了させる。動作の終了は、潜在的に誤った読出しが使用されるのを防止する。次に、プロセス３００は終了する。
【００４０】
図４は、認証情報に対する要求の受取りに応答して信号調整装置により実行されるプロセスの一例４００を示している。プロセス４００は、信号調整装置１１０がホスト・システムから要求を受取るステップ４０１から開始される。この要求の受取りに応答して、信号調整装置１１０はメモリから認証情報を読出す。メモリは、不正操作を防止するため読出し専用メモリであることが望ましい。あるいはまた、信号調整装置１１０が処理ユニットを含むならば、信号調整装置１１０は、予期される結果を生成する処理ユニットにより実行される所定のプロセスを用いて認証情報を生成してもよい。認証情報が検索された後、信号調整装置１１０は、ステップ４０３において、認証情報を含むメッセージを生成し、この認証情報をホスト・システム１００へ送信し、プロセス４００は終了する。
【００４１】
図５に示されるプロセス５００は、本発明にしたがってプロセスを実行するため初期情報を検索するようホスト・システム１０２における処理ユニット１０２により実行されるプロセスの一例である。プロセス５００はステップ５０１で開始され、ホスト・システム１００の処理ユニット１０２はホスト・システム１００に接続された信号調整装置１１０を検出する。処理ユニット１０２は、ステップ５０２において、認証情報の要求を信号調整装置１１０へ送る。
【００４２】
信号調整装置はこの要求を受取って信号調整装置１１０に対する認証情報をホスト・システム１００へ送る。ホスト・システム１００の処理ユニット１０２はステップ５０３において認証情報を受取る。認証情報はステップ５０４において初期情報として記憶され、プロセス５００は終了する。
【００４３】
図６は、本発明による不正操作防止システムを用い得るシステムの一形式を示している。当業者は認識するように、本発明によるプロセスは、不正操作防止システムを提供するため他の形式のシステムに対しても適用可能である。図６は、コリオリ流量計組み立て体１０と流量計電子装置２０とを含むコリオリ流量計５の一例を示している。流量計電子装置２０は、経路６００を介して流量計組み立て体１０に接続され、経路２６により密度、質量流量、体積流量および総合質量流量の情報を提供する。コリオリ流量計の一構造について記述するが、当業者には明らかであるように、本発明は、導管内を流れる物質の特性を計測する振動管路を有する任意の装置に関して実施可能である。このような装置の別の例は、コリオリ質量流量計により提供される追加の計測能力を持たない振動管型密度計である。
【００４４】
流量計組み立て体１０は、１対のフランジ６０１、６０１′、マニフォールド６０２、および導管６０３Ａ、６０３Ｂを備える。導管６０３Ａ、６０３Ｂには、駆動装置６０４、ピックオフ・センサ６０５、６０５′、および温度センサ６０７が接続される。ブレース・バー６０６、６０６′は、各導管が振動する軸心Ｗ、Ｗ′を規定するように働く。
【００４５】
計測される処理物質を運ぶパイプライン系（図示せず）へコリオリ流量計５が挿入されると、物質はフランジ６０１を介して流量計組み立て体１０へ流入し、マニフォールド６０２を通過して導管６０３Ａ、６０３Ｂへ流入するよう方向付けられ、導管６０３Ａ、６０３Ｂを通過してマニフォールド６０２へ戻り、フランジ６０１′を通って流量計組み立て体１０から流出する。
【００４６】
導管６０３Ａ、６０３Ｂは、軸心Ｗ−Ｗ、Ｗ′−Ｗ′に関してそれぞれ実質的に同じ質量分布、慣性モーメントおよび弾性係数を持つように選択され、マニフォールド６０２に適切に取付けられる。導管６０３Ａ、６０３Ｂはマニフォールドから実質的に平行に外方へ延びている。
【００４７】
導管６０３Ａ、６０３Ｂは、それぞれの曲げ軸心Ｗ、Ｗ′に関して逆方向に、いわゆる流量計の第１位相ずれ曲げモードで駆動装置６０４により駆動される。駆動装置６０４は、導管６０３Ａに取付けられる磁石と、導管６０３Ｂに取付けられ両導管を振動させるよう交流が流される対向コイルとのような多くの周知の装置の１つでよい。適切な駆動信号が流量計電子装置２０により経路６１０を介して駆動装置６０４へ印加される。
【００４８】
ピックオフ・センサ６０５、６０５′は、導管６０３Ａ、６０３Ｂの振動を計測するため、該導管のうちの少なくとも一方の両端に固定される。導管６０３Ａ、６０３Ｂが振動すると、ピックオフ・センサ６０５、６０５′が第１のピックオフ信号と第２のピックオフ信号とを生成する。第１のピックオフ信号および第２のピックオフ信号は経路６１１、６１１′へ印加される。駆動装置速度信号は経路６１０に印加される。
【００４９】
温度センサ６０７は、導管の少なくとも一方６０３Ａおよび／または６０３Ｂに固定される。温度センサ６０７は、システムの温度に対する式を修正するため導管の温度を計測する。経路６１２は、温度センサ１０７からの温度信号を流量計電子装置２０へ運ぶ。
【００５０】
流量計電子装置２０は、経路６１１、６１１′に現われる第１および第２のピックオフ信号を受取る。流量計電子装置２０は、第１および第２の速度信号を処理して、流量計組み立て体１０に流れる物質の質量流量、密度その他の特性を計算する。この計算された情報は、流量計電子装置２０により経路２６を介して利用装置（図示せず）に印加される。
【００５１】
当業者には公知のように、コリオリ流量計５は振動管型密度計と構造的によく似ている。振動管型密度計も流体が通過する振動管を用いており、サンプル型密度計の場合には流体が保持される振動管を用いる。振動管型密度計もまた、導管を振動させるよう励振する駆動システムを用いる。典型的には、振動管型密度計は、密度の計測が周波数の計測のみを必要とし位相の計測は必要でないため、単一のフィードバック信号のみを用いる。本文における本発明の記述は、振動管型密度計にも等しく妥当する。
【００５２】
本発明においては、流量計電子装置２０は、物理的に２つの構成要素、すなわちホスト・システム７００および信号調整装置７０１に分割される。従来の流量計電子装置においては、これらの構成要素は１つのユニットに収容される。
【００５３】
信号調整装置７０１は、駆動回路７１０とピックオフ調整回路７２０とを備える。当業者は認識するように、実際には駆動回路７１０およびピックオフ調整回路７２０は別個のアナログ回路であり、あるいは、ディジタル信号プロセッサその他のディジタル構成要素により提供される個別の機能である。駆動回路７１０は駆動信号を生成し、駆動信号を経路６００の経路７１０を介して駆動装置６０４へ印加する。実際には、経路１１０は第１と第２のリード線である。駆動回路７１０は、経路７１３を介してピックオフ調整回路７２０に接続される。経路７１３により、駆動回路は、到来するピックオフ信号をモニタして駆動信号を調整することができる。駆動回路７１０とピックオフ調整回路７２０とを動作させる電力は、ホスト・システム７００から第１のワイヤ７１１と第２のワイヤ７１２とを介して供給される。第１のワイヤ７１１と第２のワイヤ７１２は、従来の２芯、４芯のケーブルあるいは多重対ケーブルの一部であってよい。
【００５４】
ピックオフ調整回路７２０は、経路６１１、６１１′、６１２を介して第１のピックオフ装置６０５、第２のピックオフ装置６０５′および温度センサ６０７から入力信号を受取る。ピックオフ調整回路７２０はピックオフ信号の周波数を決定し、また導管６０３Ａ、６０３Ｂを流れる物質の特性を決定する。ピックオフ・センサ６０５、６０５′からの入力信号の周波数と物質の特性とが決定されると、この情報を含むパラメータ信号が生成され、経路７２１を介してホスト・システム７００の２次処理ユニット７５０へ送られる。望ましい実施の形態においては、経路７２１は２本のリード線を含む。しかし、当業者は認識するように、経路７２１は第１のワイヤ７１１および第２のワイヤ７１２により、あるいは他の任意の本数のワイヤにより送られ得る。
【００５５】
ホスト・システム７００は、電力供給部７３０と処理システム７５０を備える。電力供給部７３０は電源から電力を受取り、受取った電力をシステムが必要とする適正な電力へ変換する。処理システム７５０は、ピックオフ調整回路７２０からパラメータ信号を受取り、ユーザが必要とする導管６０３Ａ、６０３Ｂを流れる物質の特性を提供するのに必要なプロセスを実行する。このような特性は、密度、質量流量および体積流量を含むが、これに限定されるものではない。処理システム７５０は、本発明による不正操作防止システムを提供するため、図３および図５に示されるプロセスを実行する。
【００５６】
以上の記述は、本発明による不正操作防止システムの例示的な実施の形態を提供する。予期されるように、当業者は、請求の範囲に記載された発明を文言上あるいは均等論により侵害する代替的な実施の形態を設計することができる。
【図１】
2010151833.tif 000003
【図２】
2010151833.tif 000004
【図３】
2010151833.tif 000005
【図４】
2010151833.tif 000006
【図５】
2010151833.tif 000007
【図６】
2010151833.tif 000008